(57)【要約】【課題】木箱のような外観形状を維持しつつ、梱包作業を容易に行える保冷容器を提供する。【解決手段】発泡合成樹脂製の保冷容器であって、上面が開口する箱状の容器本体１０と、該容器本体１０の上面開口部１０Ａを開閉するように容器本体１０に対して着脱自在に取り付けられる上蓋２０とを備えた保冷容器において、前記上蓋２０が、間隔を置いて平行に並べられた多数の長細い短冊状部分２２と、これら短冊状部分２２を連結して該短冊状部分２２を一体化するための連結部分２１とから構成されている。【選択図】  図２
0003190952.tif 000002
【実用新案登録請求の範囲】
【請求項１】
発泡合成樹脂製の保冷容器であって、上面が開口する箱状の容器本体と、該容器本体の上面開口部を開閉するように容器本体に対して着脱自在に取り付けられる上蓋とを備えた保冷容器において、
前記上蓋が、間隔を置いて平行に並べられた多数の長細い短冊状部分と、これら短冊状部分を連結して一体化するための連結部分とから構成されていることを特徴とする保冷容器。
【請求項２】
前記連結部分の外縁は、前記多数の短冊状部分の外縁よりも内側に位置しており、前記容器本体に前記上蓋を取り付けた状態において、前記連結部分が前記容器本体の上面開口部に入り込み、前記連結部分の外縁よりも外側に位置する短冊状部分の外縁部分が前記容器本体の周縁の上面に当接することを特徴とする請求項１に記載の保冷容器。
【請求項３】
前記短冊状部分の表面に木目の模様を形成するためのシボ加工が施されていることを特徴とする請求項１又は２に記載の保冷容器。
【請求項４】
前記容器本体及び前記上蓋の発泡倍率を３０倍〜５０倍に設定していることを特徴とする請求項１〜３のいずれか１項に記載の保冷容器。
【考案の詳細な説明】
【技術分野】
【０００１】
本考案は、発泡合成樹脂製の保冷容器であって、上面が開口する箱状の容器本体と、該容器本体の上面開口部を開閉するように容器本体に対して着脱自在に取り付けられる上蓋とを備えた保冷容器に関する。
【背景技術】
【０００２】
従来から、魚（例えば塩鯖）を木箱に収納して目的地まで輸送することが行われている。この木箱は、４つの側板部からなる平面視が長方形の枠体及びこの枠体の対向する２つの側板部の下端に掛け渡され互いに間隔を置いて平行に並べた状態で前記側板部に釘打ちすることにより連結される多数の長細い短冊状板材からなる本体部と、この本体部の上端に載置される蓋とからなっている。この蓋は、互いに間隔をおいて平行に並べられた多数の長細い短冊状板材と、該多数の短冊状板材を連結すべく短冊状板材と直交する向きに配置された複数の板材とから構成されている。
【０００３】
かかる木箱に魚を収納して出荷する場合には、まず、本体部の底部を構成する短冊状板材同士間の隙間を埋めるとともにそれら短冊状板材に魚が直接当たることがないように、発泡シートを本体部の底部に敷く。続いて、魚から発生するドリップが外部に漏れ出すことがないように発泡シートの上にビニールシートを敷く。この状態で魚を収納し、その後、魚から発生するドリップを吸い取るための紙パーチと呼ばれる紙製の吸収材を魚の上から覆い被せる。それから、木製の蓋との緩衝材としての発泡シートで吸収材の上を覆う。この状態で蓋をした後、バンドを掛け回して出荷する。
【０００４】
上記木箱の場合には、魚を密閉状態で収納するため、或いは、魚が硬い短冊状板材で損傷するのを防ぐために、発泡シートを魚の上下に敷くと共に、ビニールシートで魚を覆う（包む）という作業が必要になる。従って、魚の梱包作業が手間のかかる煩わしい作業になるという不都合があった。
【０００５】
上記梱包作業が容易に行えるように、発泡合成樹脂製の保冷容器が提案されている。この保冷容器は、長方形状の底壁及び底壁の外周縁から上方へ連設されて周囲に起立する４つの側壁からなる容器本体と、容器本体の上面開口部を開閉するように容器本体に対して着脱自在に取り付けられる蓋体とから構成されている。蓋体は、底壁とほぼ同じ大きさの平板部と、この平板部の外周縁から下方へ垂下して容器本体の被嵌合部に嵌合可能な嵌合部を有するスカート部とからなっている（例えば、特許文献１参照）。
【先行技術文献】
【特許文献】
【０００６】
【特許文献１】特開２００２−６８３４９号公報
【考案の概要】
【考案が解決しようとする課題】
【０００７】
特許文献１の保冷容器では、魚の下に配置される発泡シート及びビニールシートを敷く作業及び魚の上に発泡シートを覆い被せる作業を不要にすることができるため、梱包作業を容易に行える利点がある。しかし、保冷容器の外観形状が木箱のような優れたデザイン性を持つものでないため、木箱から発泡合成樹脂製の保冷容器へ全面的に切り替えることができないものであった。
【０００８】
そこで、本考案は、かかる事情に鑑みてなされたもので、木箱のような外観形状を維持しつつ、梱包作業を容易に行える保冷容器を提供することを課題とする。
【課題を解決するための手段】
【０００９】
本考案に係る保冷容器は、発泡合成樹脂製の保冷容器であって、上面が開口する箱状の容器本体と、該容器本体の上面開口部を開閉するように容器本体に対して着脱自在に取り付けられる上蓋とを備えた保冷容器において、前記上蓋が、間隔を置いて平行に並べられた多数の長細い短冊状部分と、これら短冊状部分を連結して一体化するための連結部分とから構成されていることを特徴とする。
【００１０】
本考案によれば、発泡合成樹脂製の保冷容器であるため、魚を容器本体内に発泡シートを敷かなくても傷つけることなく収納（収容）することができる。容器本体に魚を収納した後は、上蓋を容器本体に取り付けることによって、上蓋がクッション材になるため、木箱のように魚の上に被せる発泡シートは必要としない。尚、魚から発生するドリップを吸収する吸収材は、必要に応じて容器本体内に入れることになる。ここで、前記保冷容器の上蓋が、間隔を置いて平行に並べられた多数の長細い短冊状部分と、これら短冊状部分を連結して一体化するための連結部分とから構成されていることから、木箱の蓋に非常に似通った外観形状になり、優れたデザイン性を確保することができる。
【００１１】
また、本考案に係る保冷容器においては、前記連結部分の外縁が、前記多数の短冊状部分の外縁よりも内側に位置しており、前記容器本体に前記上蓋を取り付けた状態において、前記連結部分が前記容器本体の上面開口部に入り込み、前記連結部分の外縁よりも外側に位置する短冊状部分の外縁部分が前記容器本体の周縁の上面に当接する構成であってもよい。
【００１２】
かかる構成によれば、容器本体に上蓋を取り付けた状態で、連結部分が上面開口部に入り込み、短冊状部分の外縁部分が容器本体の周縁の上面に当接して、容器本体への上蓋の取り付け（嵌め込み）が容易に完了する。
【００１３】
また、本考案に係る保冷容器においては、前記短冊状部分の表面に木目の模様を形成するためのシボ加工が施されていることが好ましい。
【００１４】
かかる構成によれば、短冊状部分の表面に、木目の模様を形成しておけば、木の風合いを持たせることができ、よりデザイン性に優れた上蓋に構成することができる。
【００１５】
また、本考案に係る保冷容器においては、前記容器本体及び前記上蓋の発泡倍率を３０倍〜５０倍に設定していることが好ましい。
【００１６】
かかる構成によれば、容器本体及び上蓋を、３０倍〜５０倍の低発泡倍率に設定しておけば、保冷容器の強度を確保することができながらも薄型化を図ることができ、より一層木の風合いを持たせてデザイン性に優れた上蓋に構成することができる。
【考案の効果】
【００１７】
以上の如く、本考案によれば、発泡合成樹脂製の保冷容器でありながら、多数の長細い短冊状部分を備えた上蓋を設けることによって、木箱のような外観形状を維持できて優れたデザイン性を確保することができながら、梱包作業を容易に行える保冷容器を提供することができる。
【図面の簡単な説明】
【００１８】
【図１】本考案の保冷容器の全体斜視図である。
【図２】同保冷容器の分解斜視図である。
【図３】同保冷容器の上蓋を示し、（ａ）は平面図、（ｂ）は側面図、（ｃ）は正面図である。
【図４】同保冷容器の容器本体を示す平面図である。
【図５】同保冷容器の容器本体を示し、（ａ）は縦断側面図、（ｂ）は正面図、（ｃ）は排水孔の構造を示す縦断面図である。
【図６】同保冷容器の容器本体の３つを積み重ねて最上段の容器本体に上蓋をしてバンドを掛け回した状態を示す斜視図である。
【考案を実施するための形態】
【００１９】
以下、本考案に係る保冷容器の実施形態について、図１〜図６を参酌して説明する。
【００２０】
保冷容器１は、図１及び図２に示すように、例えば数匹（例えば６匹）の塩鯖（図示せず）を上端の上面開口部１０Ａから収容することができる箱型状で発泡合成樹脂からなる容器本体１０と、この容器本体１０の上面開口部１０Ａを閉じるための発泡合成樹脂でなる上蓋２０とから構成されている。尚、発泡合成樹脂としては、特に限定されないが、例えば発泡ポリスチレン、発泡ポリエチレン、発泡ポリプロピレン等の各種発泡合成樹脂が利用できる。発砲倍率としては、４０倍としているが、３０倍から５０倍までの間の任意の値が強度を確保しながら薄型化を図ることができるだけでなく、木目の風合いを持たせることができる点で好ましい。また、図１及び図２に示す保冷容器は、鯖、鰹、ハマチなどの中型魚を対象としている容器であるが、ブリやマグロなどの大型魚の他、鯵、鰯などの小型魚を収納できる大きさの容器であってもよい。
【００２１】
容器本体１０は、図１、図２、図４及び図５（ａ），（ｂ）に示すように、平面視略長方形状に形成され、塩鯖（以下、魚という）を載置する載置面１１Ａを備えた底部１１と、底部１１の一対の長辺である左右幅方向両縁部に上方に向けて立設された左右一対の側壁１２，１２と、底部１１の一対の短辺である前後方向の縁部から上方に向けて立設された前後一対の側壁１３，１３とを備えている。これら４つの側壁１２，１２、１３，１３の上端に、魚を出し入れするための前記上面開口部１０Ａが形成されている。
【００２２】
前記左右一対の側壁１２，１２は、前記底部１１に相当する部分がその上側の上側部分１２Ｂよりも内部に奥まった（引っ込んだ）外面になる下側部分１２Ａを備えており、上側部分１２Ｂと下側部分１２Ａとの境界に段差を形成している。また、前後一対の側壁１３，１３は、底部１１に相当する部分がその上側の上側部分１３Ｂよりも奥まった（引っ込んだ）外面になる下側部分１３Ａを備えており、上側部分１３Ｂと下側部分１３Ａとの境界に段差を形成している。下側部分１３Ａは、凸部１３ａと凹部１３ｂとを左右方向に交互に形成した凹凸部から構成されている。しかも、それら下側部分１２Ｂ，１３Ｂの上端の上下高さを一致させることによって、下側部分１２Ｂ，１３Ｂが周方向において連続した周壁部を形成することができ、木で作った木箱を連想させるような木の風合いをより一層持たせることができる。よって、デザイン性に優れた容器本体１０にすることができる。
【００２３】
また、左右一対の側壁（長辺側の側壁）１２，１２は、図４に示すように、前後方向中央部の厚みＤ１が前後方向両端部の厚みＤ２，Ｄ２よりも厚くなるように内面が前後方向中央部側ほど内側に盛り上がるように形成されており、保冷容器１を多数（例えば、３個以上）積み上げた場合でも、下側の保冷容器１の側壁１２，１２が、積み上げられた多数の保冷容器１から加わる重みによって潰れることや変形することを回避することができる。
【００２４】
底部１１の下面（底面）の外周縁には、下方へ突出する複数（図では１０個）の長方形の突起１１Ｂが所定間隔を置いて形成されている。それら突起１１Ｂは、底部１１の四隅付近にそれぞれ２個の突起１１Ｂ，１１Ｂが形成され、底部１１の２つの長辺部分の長手方向ほぼ中央部にそれぞれ１個の突起１１Ｂが形成されている。尚、突起１１Ｂの形状及び大きさは自由に変更することができる。
【００２５】
また、底部１１は、図５（ａ），（ｂ）に示すように、左右方向両端から左右方向中央部に向かうほど高くなるテーパー面１１Ｔ１，１１Ｔ２が形成されるとともに、前後方向両端から前後方向中央部に向かうほど高くなるテーパー面１１Ｔ３，１１Ｔ４が形成されている。従って、魚から発生するドリップや氷が解けた水は、底部１１のテーパー面１１Ｔ１，１１Ｔ２、１１Ｔ３，１１Ｔ４による案内作用により、載置面１１Ａの四隅に移動案内される。その後、後述する排出口１５に移動案内されて、外部へ排出される。
【００２６】
容器本体１０の側壁１２，１２、１３，１３の四隅のそれぞれには、図２、図４及び図５（ｃ）に示すように、それら側壁１２，１２、１３，１３よりも厚みを有する壁部１６が形成され、その壁部１６に上下方向に貫通する通水孔１４が形成されている。この通水孔１４は、下方側ほど径が小さくなるテーパー状の開口部１４Ａと、開口部１４Ａの下端から上下方向ほぼ中央部に向かって径が小さくなる上側テーパー部１４Ｂと、上下方向ほぼ中央部から下方側ほど径が大きくなる下側テーパー部１４Ｃとを備えている。前記壁部１６は、通水孔１４が形成される関係上、所定の強度を確保するために隣り合う側壁１２，１３同士を斜めに連結して形成されている。このように形成することによって、容器本体１０のコーナー部が内側に張り出して厚みを有する壁部１６を構成することができる。尚、壁部１６の突出端面１６Ａは、フラット面になっている。
【００２７】
また、底部１１の載置面１１Ａの四隅のそれぞれには、前記通水孔１４側へドリップや水を案内するための傾斜面１１Ｋが形成されるとともに、傾斜面１１Ｋにて案内されたドリップや水を通水孔１４と連通する排出空間１４Ｄを通して外部へ排出するための排出口１５が、容器本体１０の四隅にそれぞれ形成された壁部１６の下端に形成されている。
【００２８】
排出口１５は、図２に示すように、横長の長方形状に形成され、その左右幅の大きさは、前記壁部１６の左右幅の大きさよりも小さくなっており、排出口１５の形成に伴う容器本体１０の強度低下を抑制できるようにしている。
【００２９】
また、図２及び図５（ａ），（ｃ）に示すように、壁部１６の左右幅方向両端のそれぞれとこれに左右方向で隣り合う側壁１２又は１３との繋ぎ部分（図２に太い線で示している）１７及び４つの側壁１２，１２、１３，１３の内側下端と底部１１の外周縁の内側との繋ぎ部分（図２に太い線で示している）１８を、曲率半径がＲ３で描かれる円弧面（外側に凸となる円弧面、図５（ｃ）参照）に形成して、容器本体１０の強度アップを図っている。
【００３０】
上蓋２０は、図３（ａ），（ｂ），（ｃ）に示すように、容器本体１０の上面開口部１０Ａにスムーズに入り込むように該上面開口部１０Ａよりも少し小さな寸法のほぼ長方形状の平坦部２１（連結部分に相当する）と、該平坦部２１から上方に突出した多数（図では５つ）の長細い短冊状部分２２とからなっている。どの短冊状部分２２も、同じ形状で同じ大きさ（上下方向の厚みも同一の厚み）に構成され、平坦部２１の外縁が５つの短冊状部分２２の外縁よりも内側に位置している。つまり、平坦部２１の長辺方向（前後方向）両端が、５つの短冊状部分２２の長手方向両端よりも内側に位置し、平坦部２１の短辺方向（左右方向）両端が、左右方向両端に位置する短冊状部分２２，２２の左右方向外側端よりも内側に位置している。尚、平坦部２１と上面開口部１０Ａとの間の隙間が大きくなればなるほど、平坦部２１が上面開口部１０に入り易くなる反面、密閉度が低下するため、隙間の大きさは適宜考慮しながら設定する。また、密閉状態を実現するために前記隙間のない状態（平坦部２１と上面開口部１０Ａとが嵌合する状態）に平坦部２１の寸法を設定してもよい。
【００３１】
平坦部２１は、長方形の板状体の四隅に斜めにカットされた直線カット部２１Ｋを備えた形状になっている。また、平坦部２１は、すべての短冊状部分２２をそれらの下側で連結して該短冊状部分２２を一体化するための連結部分を構成している。
【００３２】
５つの短冊状部分２２のそれぞれは、その長手方向が平坦部２１の長辺方向に沿うように配置され、かつ、互いに隣り合う短冊状部分２２，２２同士の間隔が等間隔になるように並行に配置されている。
【００３３】
また、図３（ａ）に示すように、両端に配置された２つの短冊状部分２２，２２の間に位置する３つの短冊状部分２２…のそれぞれは、平坦部２１の上面２１Ａから上方へ突出する第１上側部分２２Ａと、該第１上側部分２２Ａの長手方向両端から前後方向外側に延びて平坦部２１から食み出た第１端部分２２Ｂ，２２Ｂとからなっている。各第１端部分２２Ｂは、平坦部２１の短辺側の側面２１Ｂの上側箇所からも前後方向外側に延びている。従って、図３（ｃ）の拡大図に示すように、第１端部分２２Ｂの上下方向の厚みＦ１が、第１上側部分２２Ａの上下方向の厚みＦ２に対してほぼ２倍の厚みになっている。このように第１端部分２２Ｂ，２２Ｂの厚みのみを厚くすることによって、上蓋２０を閉じたときの外観上の見栄えが悪化することなく、上蓋２０の厚みＦ３をできる限り薄型化することができる。ここでは、第１端部分２２Ｂ，２２Ｂの上下方向の厚みＦ１が第１上側部分２２Ａの厚みＦ２に対してほぼ２倍の厚みになっているが、どのような値に設定してもよい。
【００３４】
さらにまた、両端に配置された短冊状部分２２，２２のうちの図３の下側（左側）の短冊状部分２２は、平坦部２１の上面２１Ａから上方へ突出する第２上側部分２２Ｃと、第２上側部分２２Ｃから平坦部２１の外延から外側へ食み出た延長部分２２Ｄとからなっている。延長部分２２Ｄは、第２上側部分２２Ｃの左右方向両端から左右方向外側に延びる第２延長部分２２ａと、第２延長部分２２ａの長手方向両端及び第２上側部分２２Ｃの長手方向両端から長手方向外側に延びる第２端部分２２ｂ，２２ｂとからなっている。第２延長部分２２ａ及び第２端部分２２ｂ，２２ｂは、前記第１端部分２２Ｂと同様に、平坦部２１の上側箇所からも延びている。従って、第２延長部分２２ａ及び第２端部分２２ｂ，２２ｂの上下方向の厚みが、第２上側部分２２Ｃの厚みに対してほぼ２倍の厚みになっている。このように第２延長部分２２ａ及び第２端部分２２ｂ，２２ｂの厚みのみを厚くすることによって、上蓋２０を閉じたときの外観上の見栄えが悪化することなく、上蓋２０の厚みをできる限り薄型化することができる。ここでは、第２延長部分２２ａ及び第２端部分２２ｂ，２２ｂの上下方向の厚みが第２上側部分２２Ｃの厚みに対してほぼ２倍の厚みになっているが、どのような値に設定してもよい。
【００３５】
図１、図２および図３（ａ），（ｂ）に示すように、前記短冊状部分２２のうちの左右両端に位置する２つの短冊状部分２２，２２の左右方向外側の側面の前後方向前側と後側の２箇所の上端角部のそれぞれに、保冷容器１に掛け回されるバンドＢが入り込んで位置決めされる凹部２２Ｈが形成されている。
【００３６】
前記５つの短冊状部分２２の平坦部２１から立ち上がる対向する一対の側面２２Ｆ，２２Ｇ（特に、図３（ｃ）の拡大図参照）のそれぞれが、上端側ほど左右方向内側に位置するテーパー面に形成されている。このようにテーパー面を形成する構成にしておけば、成形後に金型を離間させたときに、成形品が離型しやすいといった利点がある。尚、図３（ｃ）の拡大図では、テーパー面をわかり易くするために角度を大きくした図として描いているが、実際には小さな角度のテーパー面になっている。
【００３７】
前記構成の上蓋２０を見れば、左右方向で隣り合う短冊状部分２２，２２間に一段低くなった溝部分１９が形成されている。この溝部分１９に指を突っ込むことで掛け回されたバンドＢを容易に掴むことができる。前記溝部分１９は、平坦部２１の上面２１Ａと短冊状部分２２，２２の平坦部２１から立ち上がる左右一対の側面２２Ｆ，２２Ｇとで形成されている。
【００３８】
上記構成の上蓋２０を容器本体１０へ取り付けるに伴って、平坦部（連結部分）２１が容器本体１０の上面開口部１０Ａに入り込み、平坦部（連結部分）２１から外側に延びている短冊状部分２２の両端及び左右方向両端に位置する短冊状部分２２の左右外側端部が、容器本体１０の周縁の上面１０Ｂ（図２及び図４参照）に当接することによって、上蓋２０の容器本体１０への取り付けが完了する。このとき、平坦部（連結部分）２１が容器本体１０の上面開口部１０Ａに入り込んでいるため、上蓋２０が容器本体１０に対して前後方向及び左右方向に移動することがないように位置決めされた状態になっている。前記上蓋２０を容器本体１０へ取り付けた状態では、上蓋２０の短冊状部分２２の長手方向両端面が容器本体１０の前後の側壁１３，１３の外面と面一状になっている。また、左右方向両端部に位置する上蓋２０の短冊状部分２２，２２の左右方向外側端面が左右の側壁１２，１２の外面と面一状になっている。
【００３９】
魚を前記構成の保冷容器１に収納して出荷する直前の状態にするための手順を説明する。まず、第１の容器本体１０に予定数（数匹）の魚を収納する。続いて、上蓋２０をしないで、もう一つの別の第２の容器本体１０に予定数（数匹）の魚を収納し、先の第１の容器本体１０の上端に第２の容器本体１０を積み重ねる。このとき、第１の容器本体１０の上端内面に、第２の容器本体１０の底部１１の下面の外周縁に設けた複数（図では１０個）の長方形の突起１１Ｂが当接することによって、第１の容器本体１０に対して第２の容器本体１０を前後方向及び左右方向のいずれの方向にも位置決めした状態で積み重ねた状態にすることができる。また、魚に第２の容器本体１０の底面が触れることがないようにしたい場合には、第１の容器本体１０に収納された魚の上に発泡シートを敷くことになる。引き続き、第２の容器本体１０に上蓋２０をしないで、もう一つの別の第３の容器本体１０に予定数（数匹）の魚を収納し、先の第２の容器本体１０の上端に第３の容器本体１０を積み重ねて上蓋２０をする。このとき、前記と同様に、第２の容器本体１０の上端内面に、第３の容器本体１０の底部１１の下面の外周縁に設けた複数（図では１０個）の長方形の突起１１Ｂが当接することによって、第２の容器本体１０に対して第３の容器本体１０を前後方向及び左右方向のいずれの方向にも位置決めした状態で積み重ねた状態にすることができる。また、魚に第３の容器本体１０の底面が触れることがないようにしたい場合には、第２の容器本体１０に収納された魚の上に発泡シートを敷くことになる。
【００４０】
３つの容器本体１０を積み重ねて一番上の第３の容器本体１０に上蓋２０が取り付けられた状態において、２本のバンドＢを巻き付けて３つの容器本体１０を一体化する（図６参照）。このとき、第１の容器本体１０の底面と床面との間に突起１１Ｂの高さ分の隙間が形成されていることから、バンドＢを掛けやすい利点がある。また、冷凍庫や冷蔵庫で保管する場合でも、第１の容器本体１０の底面の突起１１Ｂと床面との間で水が凍結した場合でも、容器本体１０を床面から容易に剥がすことができる。また、バンドＢを掛けた状態において左右方向で隣り合う短冊状部分２２，２２間に一段低くなった溝部分１９が形成されていることから、この溝部分１９に指を突っ込むことによりバンドＢを容易に掴むことができ、３つの容器本体１０をバンドＢ，Ｂを掴んで容易に持ち運ぶことができる。尚、積み重ねられた最上部に位置する容器本体１０内のドリップや水は、２段目の容器本体１０の通水孔１４を通して１段目の容器本体１０の通水孔１４に案内された後、外部へ排出される。
【００４１】
前記のように、保冷容器１を、発泡合成樹脂製の容器本体１０と上蓋２０とで構成することによって、魚を容器本体１０内に発泡シートを敷かなくても傷つけることなく収納（収容）することができる。容器本体１０に魚を収納した後に、上蓋２０を容器本体１０に取り付ける場合には、上蓋２０がクッション材になるため、木箱のように魚の上に被せる発泡シートを不要にできる。そして、保冷容器１の上蓋２０が、間隔を置いて平行に並べられた多数の長細い短冊状部分２２と、これら短冊状部分２２を連結して該短冊状部分２２を一体化するための平坦部（連結部分）２１とから構成されていることから、木箱の蓋に非常に似通った外観形状になり、優れたデザイン性を確保することができる。また、容器本体１０に、下側部分１２Ａや凹凸部１３Ａを設けることによって、更に容器本体１０を木箱に非常に似通った外観形状にすることができ、より一層優れたデザイン性を確保することができる。
【００４２】
図６に示すように、５つすべての短冊状部分２２の表面に、木目の模様を形成するためのシボ加工が施されている。図６では、５つの短冊状部分２２に形成した木目の模様をすべて同じ模様にしているが、異なる木目の模様に形成してもよい。また、短冊状部分２２の表面以外の部分、例えば短冊状部分２２の４つの周側面にも、木目の模様を形成するためのシボ加工を施してもよいし、平坦部（連結部分）２１の上面２１Ａにもシボ加工を施してもよい。また、左右の側壁１２，１２及び前後の側壁１３，１３の一部または全部に木目の模様を形成するためのシボ加工を施してもよい。
【００４３】
前記保冷容器を木の色に着色することによって、より一層木に似た雰囲気を出させることができる。着色する色としては、茶色、濃茶色、薄茶色、黄土色など適宜選択して使用する。保冷容器を木の色に着色するには、例えば染料を含浸させて着色された発泡合成樹脂粒子を用いて保冷容器を形成することが考えられる。この場合には、同じ色の発泡合成樹脂粒子を用いて成形することになるが、着色ムラや発泡時の発泡合成樹脂粒子毎の発泡度合いの違いなどにより、保冷容器全体を均一に着色することが難しく、部分的に色合いが異なることが多いものの、木の風合いをより一層持たせることができる効果を奏する。
【００４４】
尚、本考案に係る保冷容器は、上記実施形態に限定されるものではなく、本考案の要旨を逸脱しない範囲で種々の変更が可能である。
【００４５】
前記実施形態では、３つの容器本体１０を積み重ねてバンドＢにより一体化して出荷するようにしたが、２つの容器本体１０又は４つ以上の容器本体１０を積み重ねてバンドＢにより一体化して出荷してもよいし、場合によっては、１つの保冷容器１にバンドＢを掛けて上蓋２０を容器本体１０に固定して出荷してもよい。また、１つの保冷容器１を出荷する場合には、バンドではなく、上蓋２０と容器本体１０との凹凸嵌合構造によって上蓋２０を容器本体１０に固定して出荷するようにしてもよい。
【００４６】
また、前記実施形態では、連結部分２１が容器本体１０の上面開口部１０Ａを覆う面積の平板部から構成したが、連結部分２１が、多数の短冊状部分をそれらの長手方向と直交する方向に延びる複数の短冊状部分により連結された構成であってもよい。
【００４７】
また、前記実施形態では、連結部分２１が容器本体１０の上面開口部１０Ａに入り込み、短冊状部分２２が容器本体１０の周縁の上面に当接する構成であったが、連結部分２１が容器本体１０の上面開口部１０Ａに入り込まず、容器本体１０の周縁の上面に当接する構成であってもよい。
【００４８】
また、前記実施形態では、魚から発生するドリップや氷が解けた水などを保冷容器の外部へ排水できる構成としたが、外部へ排水できない保冷容器であってもよい。この場合、ドリップや氷が解けた水などを吸収する吸収シートを保冷容器内に設けて実施してもよい。
【００４９】
また、前記実施形態では、どの短冊状部分２２も形状及び大きさを同じにしたが、形状及び大きさが異なる短冊状部分から構成してもよい。また、隣り合う短冊状部分２２，２２同士の間隔も異なる間隔であっても構わない。
【００５０】
また、前記実施形態では、短冊状部分２２と平坦部（連結部分）２１とを一体成形した場合を示したが、短冊状部分２２と平坦部（連結部分）２１とを別々に成形し、それらを接着剤などにより一体化して上蓋２０を構成してもよい。
【００５１】
また、前記実施形態では、短冊状部分２２の平坦部（連結部分）２１から食み出た部分の下面を平坦部（連結部分）２１の上面２１Ａよりも低くすることによって、上蓋２０全体の上下方向の厚みを薄くしながらも、食み出た部分の上下方向の厚みのみを厚くできる構成としたが、食み出た部分の下面が平坦部（連結部分）２１の上面２１Ａと同一レベルになるように短冊状部分２２を構成して実施することもできる。
【符号の説明】
【００５２】
１…保冷容器、１０…容器本体、１０…上面開口部、１０Ｂ…上面、１１…底部、１１Ａ…載置面、１１Ｂ…突起、１１Ｋ…傾斜面、１１Ｔ１，１１Ｔ２，１１Ｔ３，１１Ｔ４…テーパー面、１２…側壁、１２Ａ…下側部分、１３…側壁、１３Ａ…凹凸部、１３ａ…凸部、１３ｂ…凹部、１４…通水孔、１４Ａ…開口部、１４Ｂ…上側テーパー部、１４Ｃ…下側テーパー部、１４Ｄ…排出空間、１５…排出口、１６…壁部、１６Ａ…突出端面、１７，１８…繋ぎ部分、１９…溝部分、２０…上蓋、２１…平坦部（連結部分）、２１Ａ…上面、２１Ｂ…側面、２１Ｋ…直線カット部、２２…短冊状部分、２２Ａ…第１上側部分、２２Ｂ…第１端部分、２２Ｃ…第２上側部分、２２Ｄ…延長部分、２２ａ…第２延長部分、２２ｂ…第２端部分、２２Ｈ…凹部、２２Ｆ，２２Ｇ…側面、２２ｅ…貫通孔、Ｂ…バンド
【図１】
0003190952.tif 000003
【図２】
0003190952.tif 000004
【図３】
0003190952.tif 000005
【図４】
0003190952.tif 000006
【図５】
0003190952.tif 000007
【図６】
0003190952.tif 000008